(57)【要約】【課題】送風機の運転音の漏れによる騒音を抑制できる床置形空気調和機を提供する。【解決手段】床置形空気調和機１は、ケーシング１０と、吹出口２１と、吸込口２０と、送風機４１と、室内用熱交換器４０とを備えている。ケーシング１０は前面パネル１１を有している。吹出口２１はケーシング１０に設けられた開口部である。吸込口２０はケーシング１０の背面に設けられた開口部である。送風機４１は、吸込口２０を通ってケーシング１０へ入り吹出口２１を通ってケーシング１０から出る気流を発生させる。室内用熱交換器４０はケーシング１０内の気流の経路途中の位置であって、かつ、送風機４１に対して気流の上流側の位置に設けられている。【選択図】図１
2008185235.tif 000002
【特許請求の範囲】
【請求項１】
互いに対向する前面および背面と、床に設置されるための底面とを有し、前記前面に前面パネルを有するケーシングと、
前記ケーシングに設けられた開口部である吹出口と、
前記ケーシングの前記背面に設けられた開口部である吸込口と、
前記ケーシング内に設けられ、前記吸込口を通って前記ケーシングへ入り前記吹出口を通って前記ケーシングから出る気流を発生させるための送風機と、
前記ケーシング内の前記気流の経路途中の位置であって、かつ、前記送風機に対して前記気流の上流側の位置に設けられた室内用熱交換器とを備えた、床置形空気調和機。
【請求項２】
前記吹出口が複数の領域を有し、前記複数の領域のうちの少なくとも１つの領域と前記送風機との間を流れる気流の経路途中の位置にダンパーをさらに備えた、請求項１に記載の床置形空気調和機。
【請求項３】
前記吹出口は、前記ケーシングの前記前面の上部領域および下部領域に設けられたことを特徴とする、請求項１または２に記載の床置形空気調和機。
【請求項４】
前記吸込口は、上下方向について前記上部領域と前記下部領域との略中間に位置することを特徴とする、請求項３に記載の床置形空気調和機。
【発明の詳細な説明】
【技術分野】
【０００１】
本発明は、床置形空気調和機に関するものである。
【背景技術】
【０００２】
まず従来の床置形空気調和機について説明する。
図５は、従来の床置形空気調和機の概略的な断面図である。図５を参照して、床置形空気調和機１Ｃは、主に、ケーシング１０と、このケーシング１０内に配置された送風機４１および室内用熱交換器４０とを備えている。ケーシング１０は、前面パネル１１、背面パネル１２、上面パネル１３および底面パネル１４を有している。前面パネル１１には、室内の空気をケーシング１０内に吸込むための吸込口２０が設けられている。また、ケーシング１０には、この導入された空気をケーシング１０外に吹出すための吹出口２１が設けられている。
【０００３】
次に、この従来の床置形空気調和機１Ｃの動作について説明する。底面パネル１４が室内の床に面するように、床置形空気調和機１Ｃが設置される。送風機４１が運転されることにより、前面パネル１１に設けられた吸込口２０を通ってケーシング１０内に空気が吸込まれる。そして、送風機４１からガイド５０に導かれて室内用熱交換器４０に空気が吹き付けられる。この吹き付けられた空気が、室内用熱交換器４０を通過して吹出口２１から室内へ吹出される。
【０００４】
なお、ガイド５０が、ケーシング１０内の気流を制限するために設けられている。また、支持フレーム５１が室内用熱交換器４０を支持するために設けられている。
【０００５】
上記のような空気調和機は、たとえば特開２００１−２０８３６６号公報に開示されている。
【特許文献１】特開２００１−２０８３６６号公報
【発明の開示】
【発明が解決しようとする課題】
【０００６】
上記従来の床置形空気調和機１Ｃは、図５に示すように、前面パネル１１に吹出口２１や吸込口２０が設けられている。この吹出口２１や吸込口２０から床置形空気調和機１Ｃの前面側へ送風機４１の運転音が漏れるため、床置形空気調和機１Ｃが設置された室内の騒音が大きくなるという課題があった。
【０００７】
また、送風機４１と吹出口２１との間に熱交換器４０が介在するため、送風機４１からの吐出空気は熱交換器４０の通過後に整流されて吹出口２１から吹出される。このため、吹出口２１の配置が熱交換器４０近傍に制限されてしまう。あるいは、熱交換器４０近傍以外に吹出口２１を設けても、熱交換器４０の通過後で勢いの落ちた送風の整流が困難であり、充分に風を吹出すことができない問題があった。
【０００８】
本発明は、上記の課題を鑑みてなされたものであり、その目的は、送風機の運転音の漏れによる室内の騒音を抑制でき、また吹出口から充分に整流された吹出空気を送出できる床置形空気調和機を提供することである。
【課題を解決するための手段】
【０００９】
床置形空気調和機は、ケーシングと、吹出口と、吸込口と、送風機と、室内用熱交換機とを備えている。ケーシングは、互いに対向する前面および背面と、床に設置されるための底面とを有し、前面に前面パネルを有している。吹出口は、ケーシングに設けられた開口部である。吸込口は、ケーシングの背面に設けられた開口部である。送風機は、ケーシング内に設けられ、吸込口を通ってケーシングへ入り吹出口を通ってケーシングから出る気流を発生させる。室内用熱交換器は、ケーシング内の気流の経路途中の位置であって、かつ、送風機に対して気流の上流側の位置に設けられている。
【００１０】
本発明の床置形空気調和機によれば、吸込口はケーシングの背面に設けられているため、前面パネルに吸込口としての開口部を設ける必要がない。このため、前面パネルの開口面積を小さくすることができる。よって、前面パネルの開口部を通って床置形空気調和機の前面に漏れる送風機の運転音を小さくでき、送風機の運転音に起因する室内の騒音を抑制することができる。
【００１１】
また、室内用熱交換器は、送風機に対して気流の上流側の位置に設けられている。このため、送風機と、吹出口との間には、気流の勢いを弱めてしまう室内用熱交換器が存在しない。よって、ケーシングから室内に向かって勢いよく気流を吹出すことができる。
【００１２】
また、送風機に対して気流の下流側の位置には、室内用熱交換器が存在しない。このため、送風機と吹出口との間の気流の経路の設計自由度が高い。よって、吹出口の位置や大きさの設計自由度が高くなる。
【００１３】
上記の床置形空気調和機において好ましくは、吹出口が複数の領域を有し、この複数の領域のうちの少なくとも１つの領域と送風機との間を流れる気流の経路途中の位置にダンパーが備えられている。
【００１４】
これにより、吹出口の少なくとも１つの領域から吹出される気流を抑制することができる。
【００１５】
上記の床置形空気調和機において好ましくは、吹出口は、ケーシングの前面の上部領域および下部領域に設けられている。
【００１６】
これにより、特に暖房時には下部領域から室内に勢いよく空気を吹出させて、効果的に室内を暖房することが可能となる。
【００１７】
上記の床置形空気調和機においてさらに好ましくは、吸込口は、上下方向について上部領域と下部領域との略中間に位置している。
【００１８】
これにより、吹出口の下部領域および上部領域の両方からバランス良く空気を吹出すことができる。
【発明の効果】
【００１９】
以上説明したように本発明の床置形空気調和機によれば、前面パネルに吸込口としての開口部を設ける必要がない。このため、前面パネルの開口部を通って床置形空気調和機の前面に漏れる送風機の運転音を小さくすることが可能となり、送風機の運転音に起因する室内の騒音が小さくなる。また、送風機と吹出口との間に熱交換器が介在しないので、送風機から吐出された風を直接整流して吹出す事が出来る。さらに、吹出口は熱交換器近傍という制限を受けずに任意の場所に配置が可能となり、ケーシング上部だけでなくケーシング下部にも吹出口を設けることが出来る。また、上下だけでなく、左右、上下左右に吹出口を設けることも可能である。
【発明を実施するための最良の形態】
【００２０】
以下、本発明の実施の形態について図に基づいて説明する。
図１は本発明の一実施の形態における床置形空気調和機の構成を模式的に示す断面図である。また図２は本発明の一実施の形態における床置形空気調和機が室内に設置された様子を概略的に示す外観図である。また図３は本発明の一実施の形態における床置形空気調和機の構成を模式的に示す背面図である。
【００２１】
主に図１を参照して、本実施の形態の床置形空気調和機１は、主に、ケーシング１０と、このケーシング１０内に配置された送風機４１および室内用熱交換器４０とを備えている。
【００２２】
図１〜図３を参照して、ケーシング１０は、互いに対向する前面および背面と、上面と、底面と、２つの側面とを有している。そして、ケーシング１０は、前面、背面、上面、底面および２つの側面のそれぞれの位置に、前面パネル１１、背面パネル１２、上面パネル１３、底面パネル１４および２つの側面パネル１５の各々を有している。ケーシング１０の前面パネル１１には、開口部である吹出口２１として吹出口下部領域２１Ａおよび吹出口上部領域２１Ｂが設けられている。ケーシング１０の背面パネル１２には、開口部である吸込口２０が設けられている。
【００２３】
吸込口２０は、上下方向について、吹出口下部領域２１Ａと吹出口上部領域２１Ｂとの略中間に位置している。
【００２４】
図１を参照して、送風機４１は、ケーシング１０内に設けられている。この送風機４１は、吸込口２０を通ってケーシング１０へ入り、吹出口２１を通ってケーシング１０から出る気流を発生させる。送風機４１としては、たとえば、シロッコファンやターボファンを用いることができる。
【００２５】
室内用熱交換器４０は、ケーシング１０内の気流の経路途中の位置であって、かつ、送風機４１に対して気流の上流側の位置に設けられている。
【００２６】
なお、吹出口下部領域２１Ａと、送風機４１との間を流れる気流の経路途中の位置に下部ダンパー３１Ａが設けられている。また、吹出口上部領域２１Ｂと、送風機４１との間を流れる気流の経路途中の位置に上部ダンパー３１Ｂが設けられている。下部ダンパー３１Ａおよび上部ダンパー３１Ｂのそれぞれは、図１の破線で示すように変位することにより、気流を抑制または遮断する機能を有している。
【００２７】
また、ケーシング１０内には、気流の経路を制限するガイド５０が設けられている。
また、ケーシング１０内には、室内用熱交換器４０を支持するための支持フレーム５１が設けられている。
【００２８】
また、室内用熱交換器４０は、室外機（図示せず）と接続されている。
次に、本実施の形態の床置形空気調和機１が冷暖房を行なうために室内に設置される方法について説明する。
【００２９】
図２および図３を参照して、床置形空気調和機１が、室内の２つの壁面６１により形成されるコーナー位置に設置される。床置形空気調和機１の向きは、前面パネル１１が室内の主要なスペースに面し、背面パネル１２がコーナーに面する向きとされる。これにより、背面パネル１２と、室内の２つの壁面６１との間には狭い空間が形成される。
【００３０】
なお、床置形空気調和機１の設置される位置は、上記のようにコーナー位置に限定されるものではなく、１つの壁面６１の近くに設置されてもよい。この場合、床置形空気調和機１の向きは、前面パネル１１が室内の主要なスペースに面し、背面パネル１２が１つの壁面６１に面する向きとされる。これにより、背面パネル１２と、室内の１つの壁面６１との間には狭い空間が形成される。
【００３１】
次に、本実施の形態の床置形空気調和機１の動作について説明する。
図１を参照して、送風機４１が運転されることにより気流が発生する。まず、この気流が吸込口２０を通ってケーシング１０へ入る。続いて、この気流が室内用熱交換器４０に吹き付けられる。これにより、暖房運転時は気流の温度が上昇し、冷房運転時は下降する。続いて、この気流が送風機４１のところで、２つの気流に分けられる。
【００３２】
この２つの気流のうち一方の気流は、送風機４１の下方に設けられたガイド５０により制限される経路を通って下方へと向かう。そして吹出口下部領域２１Ａを通って前面パネル１１の下部から室内へと吹出される。なお必要に応じて下部ダンパー３１Ａが稼働されることにより、吹出口下部領域２１Ａを通る吹出が抑制または遮断される。
【００３３】
上記２つの気流のうち他方の気流は、送風機４１の上方に設けられたガイド５０により制限される経路を通って上方へと向かう。そして吹出口上部領域２１Ｂを通って前面パネル１１の上部から室内へと吹出される。なお必要に応じて上部ダンパー３１Ｂが稼働されることにより、吹出口上部領域２１Ｂを通る吹出が抑制または遮断される。
【００３４】
次に、本実施の形態の一体型空気調和機の作用効果について説明する。
本実施の形態の床置形空気調和機１によれば、図１に示すように吸込口２０はケーシング１０の背面パネル１２に設けられている。このため、前面パネル１１に吸込口２０としての開口部を設ける必要がない。よって、前面パネル１１の開口は吹出口２１だけでよいので、開口面積を小さくすることができる。よって、前面パネル１１の開口部を通って床置形空気調和機１の前面に漏れる送風機４１の運転音を小さくでき、この運転音に起因する室内の騒音を抑制することができる。
【００３５】
また側面パネル１５に吸込口２０としての開口部を設ける必要がない。このため、側面パネル１５の開口部を通って床置形空気調和機１の側面に漏れる送風機４１の運転音を小さくできる。よって、この運転音に起因する室内の騒音を抑制することができる。
【００３６】
また上面パネル１３に吸込口２０としての開口部を設ける必要がない。このため、上面パネル１３の開口部を通って床置形空気調和機１の上面に漏れる送風機４１の運転音を小さくできる。よって、この運転音に起因する室内の騒音を抑制することができる。
【００３７】
また、たとえば図２に示すように、背面パネル１２は壁面６１に面している。このため、図３に示す吸込口２０を通って漏れる送風機４１の運転音は、背面パネル１２と対向して近傍に位置する壁面６１に向かう。すなわち、この運転音は室内の主要なスペースの方へは向かわない。よって、吸込口２０を通って漏れる送風機４１の運転音による室内の騒音を抑制することができる。
【００３８】
また、室内用熱交換器４０は、送風機４１に対して気流の上流側の位置に設けられている。このため、送風機４１と、吹出口２１との間には、気流の勢いを弱めてしまう室内用熱交換器４０が存在しない。よって、送風機４１から吐出された空気はガイド５０で充分に整流された後、吹出口２１から室内に向かって勢いよく吹出すことができる。
【００３９】
また、送風機４１に対して気流の下流側の位置には、大型の部品である室内用熱交換器４０が存在しない。このため、送風機４１と吹出口２１との間のケーシング１０内の気流の経路の設計自由度が高い。よって、吹出口２１が設けられる位置や、吹出口２１の大きさの設計自由度が高くなる。これにより、図１および図２に示すように、吹出口上部領域２１Ｂを設けるだけでなく、その下方に吹出口下部領域２１Ａを設けることができるので、特に暖房時には下方から室内に勢いよく空気を吹出させて、効果的に室内を暖房することが可能となる。
【００４０】
また図２に示すように床置形空気調和機１の背面パネル１２と、室内の壁面６１との間には空間が形成されている。このため、背面パネル１２に設けられた吸込口２０が壁面６１により塞がれてしまうことがない。よって、吸込口２０から室内の空気を吸込むことができる。
【００４１】
また図１に示すように、吹出口下部領域２１Ａと送風機４１との間を流れる気流の経路途中の位置に下部ダンパー３１Ａが設けられている。また、吹出口上部領域２１Ｂと送風機４１との間を流れる気流の経路途中の位置に上部ダンパー３１Ｂが設けられている。これにより、ケーシング１０から気流が吹出される領域を選択することができる。
【００４２】
よって、暖房動作時において、たとえば、ケーシング１０の上部と下部の両方から気流を吹出して部屋全体を暖める動作と、ケーシング１０の下部からのみ気流を吹出して室内の床面付近を集中的に暖める動作とを選択することができる。
【００４３】
また、冷房動作時において、たとえば、ケーシング１０の上部と下部の両方から気流を吹出して部屋全体を冷やす動作と、ケーシング１０の上部からのみ気流を吹出して室内の床面付近が過度に冷えることを防ぐ動作とを選択することができる。
【００４４】
また図１に示すように、吸込口２０は、上下方向について、吹出口下部領域２１Ａと吹出口上部領域２１Ｂとの略中間に位置している。このため、吹出口下部領域２１Ａおよび吹出口上部領域２１Ｂの両方からバランス良く空気を吹出すことができる。
【００４５】
なお、本実施の形態においては、図２に示すように、吹出口２１がケーシング１０の上部および下部に位置する場合について説明したが、本発明はこれに限定されるものではない。吹出口２１は前面パネル１１の向かって右部や左部に位置してもよい。
【００４６】
また、図４に示すように、吹出口２１が、さらに側面パネル１５に配置された吹出口側面領域２１Ｃを有してもよい。
【００４７】
また、吹出口２１は上面パネル１３に位置してもよい。あるいは、前面パネル１１と側面パネル１５との間や、前面パネル１１と上面パネル１３との間に面取り形状が設けられ、この面取り形状部分に吹出口２１が位置してもよい。
【００４８】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【産業上の利用可能性】
【００４９】
本発明は、床置形空気調和機に特に有利に適用され得る。
【図面の簡単な説明】
【００５０】
【図１】本発明の一実施の形態における床置形空気調和機の構成を模式的に示す断面図である。
【図２】本発明の一実施の形態における床置形空気調和機が室内に設置された様子を概略的に示す外観図である。
【図３】本発明の一実施の形態における床置形空気調和機の構成を模式的に示す背面図である。
【図４】本発明の一実施の形態の変形例における床置形空気調和機が室内に設置された様子を概略的に示す外観図である。
【図５】従来の床置形空気調和機の構成を模式的に示す断面図である。
【符号の説明】
【００５１】
１  床置形空気調和機、１０  ケーシング、１１  前面パネル、１２  背面パネル、１３  上面パネル、１４  底面パネル、１５  側面パネル、２０  吸込口、２１  吹出口、２１Ａ  吹出口下部領域、２１Ｂ  吹出口上部領域、２１Ｃ  吹出口側面領域、３１Ａ  下部ダンパー、３１Ｂ  上部ダンパー、４１  送風機、５０  ガイド。
【図１】
2008185235.tif 000003
【図２】
2008185235.tif 000004
【図３】
2008185235.tif 000005
【図４】
2008185235.tif 000006
【図５】
2008185235.tif 000007